(57)【特許請求の範囲】
【請求項１】
上部に軸心方向の切り割り溝が形成され下部外面には嵌合部が形成された筒状の内筒部材、この内筒部材の切り割り溝の外周を回動可能に覆う内部にラセン溝が形成されたラセン部材、前記内筒部材内に上下移動可能に形成された皿部材、この皿部材に形成された前記内筒部材の切り割り溝及び前記ラセン部材のラセン溝と係合する係合ピンより構成されるプラスチック材で形成されたカートリッジ体と、上下が開口され下部内面には内筒部材に形成された嵌合部と嵌合する嵌合部が形成されたハカマ部材、このハカマ部材に上部が突出するように回動可能ではあるが抜け出し不能に係止され内部にはラセン部材に形成された嵌合部と嵌合する嵌合部が形成された外筒部材より構成される金属材で形成された外装体とから構成され、カートリッジ体を外装体の底部より挿入することによって前記外筒部材とラセン部材が嵌合され、さらにハカマ部材と内筒部材が嵌合されることによって構成される口紅などの収納容器。
【請求項２】
外筒部材はハカマ部材に対して上下移動可能に形成されていることを特徴とする請求項１記載の口紅などの収納容器。
【請求項３】
皿部材の係合ピンが通過可能であるように内筒部材に形成された切り割り溝は内筒部材の上端部まで達し、さらにラセン部材に形成されたラセン溝はラセン部材の上端部まで達するものとし、それによって皿部材がカートリッジ体上部より抜き差し可能に形成されたことを特徴とする請求項１あるいは請求項２記載の口紅などの収納容器。
【請求項４】
内筒部材およびラセン部材は透明なプラスチック材で形成されていることを特徴とする請求項１ないし請求項３のいずれか一つに記載の口紅などの収納容器。
【発明の詳細な説明】
【０００１】
【発明が属する技術分野】
本発明は化粧品を収納する口紅などの収納容器に関するものである。
【０００２】
【従来の技術】
従来の口紅などの収納容器はハカマ部材と、このハカマ部材内に下端部が挿入固定され上部には軸心方向の切り割り溝が形成された筒状の内筒部材と、この内筒部材の切り割り溝の外周を回動可能に覆う内部にラセン溝が形成されたラセン部材と、このラセン部材の外周を覆う外筒部材と、前記内筒部材内に上下移動可能に形成された皿部材と、この皿部材に形成された前記内筒部材の切り割り溝及び前記ラセン部材のラセン溝と係合する係合ピンとから構成されていた。
【０００３】
【発明が解決しようとする課題】
このように構成された従来の口紅などの収納容器はその材質として内筒部材、ラセン部材、皿部材のいわゆる内部構造部品には比較的安価なプラスチック材が使用され、蓋、外筒部材、ハカマ部材のいわゆる外装部品には高価な加飾を施した金属材が使用されている。
【０００４】
このような収納容器に口紅を充填して完成品となるものであるが、口紅を充填する際に口紅に傷を付けてしまったりして不具合品となってしまった場合には口紅を収納容器から外すことが大変難しく、また手間がかかるので結果として収納容器全体を廃棄しなければならず加飾を施された高価な収納容器全体が無駄になっていた。
【０００５】
さらに口紅を使い終わって収納容器を廃棄する際にはプラスチック材と金属材を分離することが難しく、材料の再利用にも問題を残すものであるという欠点があった。
【０００６】
このような欠点を補うために実開平６−１１６１０号に示されるように、あらかじめ分解された容器の内筒部材内の皿部材に口紅を充填しキズなどによる不具合品でないことを確認してから外装部品にセットして完成品とする手段も考案されているが、このような構造にした場合には口紅を充填した状態では実際に使用する際に外筒部材とハカマ部材を回動させることによる口紅の上下移動がスムーズに行えるかどうかといういわゆる作動状態を確認することができず、またこの作動中に口紅に不具合が発生しないことを確認することができず、そのため収納容器を完成品としてから作動状態を確認することになるが、この作動がスムーズで無い不具合品であった場合には一度収納容器を分解して調整しなければならず手直しの工程に手間がかかってしまうものであった。
【０００７】
本発明は以上のような従来の欠点に鑑み、安価な内部構造部品に口紅を充填して、口紅のキズなどによる不具合品の検出及び作動状態の確認をしたのち、良品のみを高価な外装部品にセットすることができ、それによって廃棄する部品の無駄及び手直し作業の手間を省くことのできる口紅などの収納容器を提供することを目的としている。
【０００８】
さらに口紅のキズなどによる不具合品の検出をするために内筒部材及びラセン部材を透明なプラスチックで形成する事によってカートリッジ体の外部からも口紅の外観を観察することができ、また口紅のキズなどによる不具合品が検出されたならば、皿部材をカートリッジ体上部より抜き出すことにより皿部材を取り外し、新しい皿部材をカートリッジ体の上端部より差し込むことで皿部材を交換することができる口紅などの収納容器を提供することを目的としている。
【０００９】
【課題を解決するための手段】
上記課題を解決するため、本発明は上部に軸心方向の切り割り溝が形成され下部外面には嵌合部が形成された筒状の内筒部材、この内筒部材の切り割り溝の外周を回動可能に覆う内部にラセン溝が形成されたラセン部材、前記内筒部材内に上下移動可能に形成された皿部材、この皿部材に形成された前記内筒部材の切り割り溝及び前記ラセン部材のラセン溝と係合する係合ピンより構成されるプラスチック材で形成されたカートリッジ体と、上下が開口され下部内面には内筒部材に形成された嵌合部と嵌合する嵌合部が形成されたハカマ部材、このハカマ部材に上部が突出するように回動可能ではあるが抜け出し不能に係止され内部にはラセン部材に形成された嵌合部と嵌合する嵌合部が形成された外筒部材より構成される金属材で形成された外装体とから構成され、カートリッジ体を外装体の底部より挿入することによって前記外筒部材とラセン部材が嵌合され、さらにハカマ部材と内筒部材が嵌合される口紅などの収納容器とするという手段を用いている。
【００１０】
【発明の実施の形態】
本発明は内部構成部品をカートリッジ体とし、そのカートリッジ体に口紅を充填し、良品であることを確認したのちそのカートリッジ体を外装部品にセットするという形態を使用している。
【００１１】
【実施例】
以下、図面に示す実施例により本発明を詳細に説明する。
図１ないし図８に示す発明の第１の実施例において、１は内筒部材で、この内筒部材１は上端が開口された筒状に形成され、さらに上部には軸心方向の切り割り溝２が内筒部材１の上端まで形成され、下部外面には嵌合部３が形成されている。
【００１２】
この内筒部材１の切り割り溝２は１本ないし２本が形成されるものであるが、本説明においては１本としてあるものであるが、２本であっても差し支えなく、少なくとも１本は上端まで形成されているものであればよい。
【００１３】
４はこの内筒部材１の切り割り溝２の外周を回動可能に覆うラセン部材で、このラセン部材４の内部にはラセン溝５が形成され、さらにラセン部材４の外周には嵌合部６が形成されている。
【００１４】
このラセン部材４のラセン溝５も前記内筒部材１の切り割り溝２と同様に１本ないし２本が形成されるものであるが、本説明においては１本としてあるものであり、さらにラセン溝５はラセン部材の上端部まで達するものであることが望ましいが、達しないものであっても良い。
【００１５】
７は口紅８を保持して前記内筒部材１内に上下移動可能に形成された皿部材で、この皿部材７には前記内筒部材１の切り割り溝２及び前記ラセン部材４のラセン溝５と係合する係合ピン９が皿部材７と一体に形成され、内筒部材１とラセン部材４を回動させることによって皿部材７を内筒部材１内で上下移動させることとができるものである。
【００１６】
以上で説明した内筒部材１、ラセン部材４、皿部材７はいずれも安価なプラスチック材で形成されたものが使用され、これらの部材でカートリッジ体１０を構成しているものであるが、これらの材質はプラスチック材の中でも透明なものがよく、とくに内筒部材１、ラセン部材４は透明な材質であると収納した口紅を外部から観察できるのでより効果があるが、不透明な材質であっても差し支えない。
【００１７】
１１はハカマ部材で、このハカマ部材１１は上下が開口された筒状に形成され、下部内面にはカートリッジ体１０をセットした際に内筒部材１に形成された嵌合部３と回動不能ではあるが任意の荷重で抜き差し可能となるように縦リブなどの手段で嵌合する嵌合部１３が形成されると共に、上部には蓋嵌合部１２がハカマ１１部材と一体となるように形成されている。
【００１８】
１４は上下が開口された外筒部材で、この外筒部材１４はハカマ部材１１に上部が突出するように回動可能ではあるが抜け出し不能に係止されていて、その内部にはカートリッジ体１０をセットした際に前記ラセン部材４に形成された嵌合部６と回動不能となるように縦リブあるいは縦溝などの手段で嵌合する嵌合部１５が形成されている。
【００１９】
さらにこの外筒部材１４はハカマ部材１１内で、ハカマ部材１１に対して上下移動可能に形成されているものであり、そのため外筒部材１４の下部には外方へ突出する突部１６が突起あるいはフランジ状に形成されていて、この突部１６がハカマ部材１１の下部及び蓋嵌合部１２に当接してハカマ部材１１より抜け出し不能とされているものである。
【００２０】
このようなハカマ部材１１、外筒部材１４はいずれも金属材で形成され、高価な加飾、印刷などが施され、これらの部材で外装体１７を構成している。
【００２１】
口紅８を充填する際にはカートリッジ体１０の皿部材７に口紅８を充填し、このカートリッジ体１０の状態で充填された口紅８にキズなどの欠点がないか、あるいは内筒部材１とラセン部材４を回動させることによって口紅８を上下移動させる作動がスムーズであるかどうかということを確認し、良品であるものだけを図４に示すようにカートリッジ体１０をハカマ部材１１の下面より挿入する事によって、内筒部材１とハカマ部材１１を嵌合させるが、この時に同時にラセン部材４が外筒部材１４を持ち上げて外筒部材１４をハカマ部材１１に対して上位置に位置させ、さらにラセン部材４と外筒部材１４を回動不能に嵌合させることができる。
【００２２】
１８は外装体１７と同様に高価な加飾が施された金属材の蓋であり、この蓋１８はハカマ部材１１の蓋嵌合部１２と着脱自在に嵌合するもので、これらの部材で口紅などの収納容器１９を構成している。
【００２３】
前記の工程でカートリッジ体１０の口紅８になんらかの不具合があった場合にはそのカートリッジ体１０を廃棄して新しいカートリッジ体１０に交換してしまうか、あるいは図８に示すようにカートリッジ体１０の内筒部材１の切り割り溝２とラセン部材４のラセン溝５の上端部を合わせることによって皿部材７の係合ピン９がラセン溝５から外れ、切り割り溝２を通過することによって、皿部材７を内筒部材１より取り外すことができ、このようにして皿部材７だけを新しいものに交換することもできる。
【００２４】
また口紅８を使い終わって収納容器を廃棄する際には、外筒部材１４を押し下げることにより、内筒部材１の底部をハカマ部材１１の下面より若干突出させ、この突出した内筒部材１の底部を掴んでカートリッジ体１０を外装体１７より引き抜くことができ、カートリッジ体１０はプラスチック材として、また外装体１７は金属材として廃棄、再利用することができる。
【００２５】
【発明の異なる実施例】
次に本発明の異なる実施例につき説明する。なお、これらの説明にあたって前記発明の第１の実施例と同一構成部分には同一符号を付して重複する説明を省略する。
【００２６】
図９および図１０に示す発明の第２の実施例において、前記発明の第１の実施例と主に異なる点は、外装体１７Ａでこの外装体１７Ａは外筒部材１４がハカマ部材１１Ａ内で上下移動しないものであり、一度セットしたカートリッジ体１０と外装体１７Ａを分離する必要のない場合に利用されるものであり、このような構造の口紅などの収納容器１９Ａとしても良い。
【００２７】
【発明の効果】
本発明は以上説明したように構成されているので、以下に記載されるような効果を奏する。
【００２８】
（１）安価なカートリッジ体に口紅を充填して、口紅のキズ不具合などの検出および作動状態での不具合の確認ができ、それによって不具合品であった場合にも収納容器全体を廃棄する必要が無く廃棄する部品の無駄及び手直し作業の手間を省くことができる。
【００２９】
（２）口紅を使い終わって収納容器を廃棄する際にプラスチック材と金属材を容易に分離することができ、材料の再利用にも有効である。
【００３０】
（３）口紅のキズ不具合品の場合には皿部材だけを容易にカートリッジ体から外して交換することができ、それによってカートリッジ体も無駄にならず再利用することができる。
【図面の簡単な説明】
【図１】発明の断面図である。（実施例１）
【図２】発明の蓋を外した断面図である。（実施例１）
【図３】発明のカートリッジ体を外した断面図である。（実施例１）
【図４】発明のカートリッジ体をセットする状態の断面図である。（実施例１）
【図５】発明の斜視図である。（実施例１）
【図６】発明のカートリッジ体を外した斜視図である。（実施例１）
【図７】発明の皿部材、内筒部材、ラセン部材の斜視図である。（実施例１）
【図８】発明の皿部材を取り外す状態の説明図および要部拡大図である。（実施例１）
【図９】発明の断面図である。（実施例２）
【図１０】発明のカートリッジ体を外した断面図である。（実施例２）
【符号の説明】
１    内筒部材
２    切り割り溝
３    嵌合部
４    ラセン部材
５    ラセン溝
６    嵌合部
７    皿部材
８    口紅
９    係合ピン
１０  カートリッジ体
１１、１１Ａ  ハカマ部材
１２  蓋嵌合部
１３  嵌合部
１４  外筒部材
１５  嵌合部
１６  凸部
１７、１７Ａ  外装体
１８  蓋
１９、１９Ａ  口紅などの収納容器
【図１】
0004925076.tif 000002
【図２】
0004925076.tif 000003
【図３】
0004925076.tif 000004
【図４】
0004925076.tif 000005
【図５】
0004925076.tif 000006
【図６】
0004925076.tif 000007
【図７】
0004925076.tif 000008
【図８】
0004925076.tif 000009
【図９】
0004925076.tif 000010
【図１０】
0004925076.tif 000011